(57)【要約】【課題】コード収納装置により、コードをスムーズに引出し・巻き取りを行うコード収納装置を供する。【解決手段】枠体１と、この枠体内に設けられ回転軸を有する回転盤４と、前記回転軸を対称軸として階段状の裾広がりの形状を有するとともにその一端側に回転盤４が設けられ前記階段の折り畳みによって前記軸方向に伸縮可能でコードを収納する巻胴３と、前記巻胴３の回転盤配置と反対側に一体的に設けられたスライド円盤２２と、前記回転軸と同軸で、かつ前記巻胴を覆うように前記回転盤と一体的に回転し、内周面に前記スライド円盤２２の外周部が係合される螺旋溝が形成された円筒部材２０とを具備し、前記コードの引出し・巻取りによって回転する回転盤と一体的に回転する円筒部材２０の回転により前記スライド円盤２２が軸方向に移動し、前記スライド円盤の移動量に応じて前記巻胴が伸縮しながら前記コード７を前記階段部分に収納または引出しを行うようにした。【選択図】  図１
2007099442.tif 000002
【特許請求の範囲】
【請求項１】
枠体と、この枠体内に設けられ回転軸を有する回転盤と、
前記回転軸を対称軸として階段状の裾広がりの形状を有するとともにその一端側に前記回転盤が設けられ前記階段の折り畳みによって前記軸方向に伸縮可能でコードを収納する巻胴と、
前記巻胴の回転盤配置と反対側頂部に一体的に設けられたスライド円盤と、
前記回転軸と同軸で、かつ前記巻胴を覆うように前記回転盤と一体的に回転し、内周面に前記スライド円盤の外周部が係合される螺旋溝が形成された円筒部材とを具備し、
前記コードの引出し・巻取りによって回転する回転盤と一体的に回転する円筒部材の回転により前記スライド円盤が軸方向に移動し、
前記スライド円盤の移動量に応じて前記巻胴が伸縮しながら前記コードを前記階段部分に収納または引出しを行うことを特徴とするコード収納装置。
【請求項２】
前記円筒部材の螺旋溝のピッチにより前記各階段に巻取る巻数を設定することを特徴とする請求項１記載のコード収納装置。
【請求項３】
前記階段の段差は、前記電源コードの径よりも高くしたことを特徴する請求項1または請求項２記載のコード収納装置。
【発明の詳細な説明】
【技術分野】
【０００１】
本発明は、電気掃除機などの電気機器で使用されるコード収納装置に関する。
【背景技術】
【０００２】
電気機器で使用されている電源コードのコード収納装置として、図１６よび図１７に示すような形態が一般的である。このようなコード収納装置は、電源コード５０が、回転盤５１の回転により貫通孔５２を通して軸中心に固定された巻胴５３に巻取られる構造である。
【０００３】
また、特許部文献１に、電源コード収納部のスペースの有効利用を図り電源コードの出し入れの小さいトルクで収納が可能なコード収納部を備えた電気掃除機が開示されている。
【特許文献１】特開平９−３２７４２２号公報
【発明の開示】
【発明が解決しようとする課題】
【０００４】
しかしながら図１６および図１７に示した装置では、巻胴に無規則に電源コードを巻付いていくため、巻胴の軸方向長さが電源コード径の所定以上より長い場合には、巻胴に先に巻付けられた電源コードと後から巻付けられた電源コードとが絡み付いてしまう、といった問題があった。また、特許文献１に開示されているコード収納部は、電源コードが巻取られる張力の変動等により円錐状内ドラム９に必ずしも整然としてトグロ状に巻きとられるとは限られないという問題点がある。
【０００５】
本発明では、従来のかかる問題点を解決するために、電源コードを巻付ける巻胴の軸方向長さを大きくしても巻付け始めの段階等で絡みつくことなく、電願コードのスムーズな巻き取り・引き出しが可能なコード収納装置を供することを目的とするものである。
【課題を解決するための手段】
【０００６】
枠体と、この枠体内に設けられ回転軸を有する回転盤と、前記回転軸を対称軸として階段状の裾広がりの形状を有するとともにその一端側に前記回転盤が設けられ前記階段の折り畳みによって前記軸方向に伸縮可能でコードを収納する巻胴と、前記巻胴の回転盤配置と反対側に一体的に設けられたスライド円盤と、前記回転軸と同軸で、かつ前記巻胴を覆うように前記回転盤と一体的に回転し、内周面に前記スライド円盤の外周部が係合される螺旋溝が形成された円筒部材とを具備し、前記コードの引出し・巻取りによって回転する回転盤と一体的に回転する円筒部材の回転により前記スライド円盤が軸方向に移動し、前記スライド円盤の移動量に応じて前記巻胴が伸縮しながら前記コードを前記階段部分に収納または引出しを行うこととした。
【発明の効果】
【０００７】
本発明のコード収納装置により、コードをスムーズに引き出し・巻き取りを行うことができる。
【発明を実施するための最良の形態】
【０００８】
本発明の実施の形態を図面を参照して説明する。
【０００９】
［第１の実施の形態］
第１の実施の形態として、電気掃除機に本発明のコード収納装置を適用した場合について図１乃至１０を用いて説明する。図１において、電気掃除機の枠体１に内蔵されているファンモータ２の外周部を覆うように電源コード７（以下「コード７」とよぶ。）を巻取る軸方向に伸縮可能な巻胴３がファンモータ２と同軸上に固定されている。また、巻胴３のファンモータ２の後方側に回転盤４が巻胴３と同軸上に回転可能に取り付けられている。またこの回転盤４の外周部は、図３に示すように枠体１の一部にスプリング７１を介して弾性的に複数の円筒コロ７２で支持されている。
【００１０】
コード７は、胴巻３の近傍に設けられた固定金具１７にその一部が固定され、回転盤４の外周部付近に設けられた貫通孔５から枠体１に設けられているコード導入孔（図示しない。）を経由して外部に引き出されるようになっている。またコード７は、この回転盤４の回転により巻胴３の外周に巻き取られるようになっている。また、コード７の一端に取り付けられているコンセント６が収納されているコンセント収納部６ａから外部に引き出されると、回転盤４が回転し回転盤４に設けられている貫通孔５から巻胴３に収納されている電源コード７が引き出されるようになっている。
【００１１】
また、本実施の形態では、コード７を所定の回転駆動力によって巻取られるように図２に示すように、回転盤４の内部に設けられたゼンマイばね収納室１０にゼンマイばね８が取り付けられている。ゼンマイばね８の一端が回転盤４の回転軸９を支持する固定部に固定され、他端はゼンマイばね収納室１０の内周壁の一部に固定されている。ゼンマイばね８は、コード７が外部へ引出されるときに回転盤４の回転量に対応して伸張しバネ力がチャージされる。コード７が所定の長さで引出しが停止されたときに図４に示すようなブレーキ手段によりチャージされたばね力を保持した状態で回転盤４の回転（コード７が巻き戻される方向の回転）が制動されるようになっている。このような状態でブレーキ手段のボタン１１を押し下げることによりブレーキ１３が解放側に移動し、回転盤４の規制が解除され、ゼンマイばね８に蓄積されたバネ力により回転盤４が回転し、コード７が引き込まれて巻胴３に収納されるようになっている。
【００１２】
次にコード７が巻胴３に巻き取られてコード収納部に収納される機構について説明する。
【００１３】
巻胴３を覆うように巻胴３と同軸となるように円筒部材２０が回転盤４と一体的に回転可能に配置されている。その円筒部材２０の内周面には、所定のピッチで螺旋溝２１が形成されている。また、巻胴３の先端部に巻胴３と同軸で一体的にスライド円盤２２が設けられ、その外周部が螺旋溝２１に係合されている。円筒部材２０がコード７の引き出し・引き込みにより回転盤４と一体的に回転することにより、スライド円盤２２が螺旋溝２１の回転方向に伴って軸方向に往復移動するようになっている。また、巻胴３は回転盤４の方向に向かって裾広がりの階段状の円錐台形状をなし軸方向に階段の折り畳みにより伸縮可能に形成されている。図５にコード収納部の一部を切り欠いた具体的構成を示す。コード７は、枠体１の回転盤４の軸方向に設けられているコード導入孔（図示しない。）から導入され、回転盤４の外周付近に設けられている貫通孔５を経由して巻胴３の先端部付近にそのコード７に一部が固定されている。また、巻胴３の先端部にはスライド円盤２２が巻胴３と一体的に設けられている。
【００１４】
巻胴３を構成する各階段２３は、図６に示すように互いにフック状に接続され、折り畳みたが容易な構造となっている。円筒部材２０の回転に従ってスライド円盤２２が螺旋溝のピッチに従って移動し、巻胴３は軸方向に伸縮する。例えば、スライド円盤２２が回転盤４の方向に移動する場合は（コード７が引出される場合。）、フック形状の階段２３が折り畳されて巻胴３が収縮する方向に移動するようになっている。また、コード７が巻胴３に引き込まれる場合は、フック状に接続された階段２３が引き延ばされてコード７が回転盤４に近い方の引き伸ばされた階段から巻取られるようになっている。この巻胴３の材料として、例えば、ＰＰ（ポリプロピレン）のような柔軟で耐久性に優れている材料が用いられる。また、各階段は、コード７が収まるようにコード７の径よりやや大き目に幅を有している。また、その高さは、各階段ごとにコードの所定の巻数に収まるように設定されている。例えば、各段に１巻きの場合はコード径より高くすることによりコードが巻き取られたときに安定して各階段２３に納めることができる。また２巻きする場合は、コード径の２倍より高くすることにより同様な効果を得ることができる。
【００１５】
具体的には、各階段２３にコード７を１巻きごとに納める場合は、図７に示すように円筒部材２０の螺旋溝２１が階段２３に巻き取られるごとに階段２３が軸方向に伸縮しながら移動する量に対応するピッチで形成されている。また、各階段２３にコード７を２巻きずつ巻き取る場合は、図８および図９に示すように螺旋溝２１が２溝ごと近接して形成され、各階段２３へ２巻きごとに移動する量に対応して形成されている。このように２巻きごとに次の階段２３に移動するためにスムーズに巻き取られることができる。さらに図１０において巻胴３の各階段２３の構成をコード７の径より高くすることにより各階段の巻取り位置から脱落しがたくなるので安定して巻き取ることができる。階段の高さとしてコード７の径の約１．５倍程度以上であることが好ましい。
【００１６】
このような構成によるコード巻取り装置において、コード７が引き出される場合は、回転盤４の側の階段からコード７が引き出された階段のフックが回転盤４の方向に押し込まれて収縮し、コード７が引き込まれる場合は、回転盤４の側から引き延ばされてその階段２３に巻き取られる。このように常に回転盤４の側からコード７が安定して巻き取り・引き出しが行われる。
【００１７】
なお、上記実施の形態において、コード７が巻取られる場合の駆動は、コード７を引出す際の回転盤４に設けられたゼンマイばね８にチャージされたバネ力で行わる場合について例示したが、その他の方法として、例えば、回転盤４をモータにより駆動させてもよい。
【００１８】
［第２の実施の形態］
次に本発明の第２の実施の形態について説明する。以下、上記第１の実施の形態において説明したのと同様な箇所は省略し、相違する部位についてのみ説明する。
【００１９】
電気掃除機に本発明の第２のコード収納装置を電気掃除機に適用した場合について図１１および図１２に示す。電気掃除機の枠体１に内蔵されているファンモータ２の外周部を覆うようにコード７を巻取る巻胴３０がファンモータ２と同軸上に固定されている。また、巻胴３０のファンモータ２の後方側に回転盤４が巻胴３０と同軸上に回転可能に取り付けられている。またこの回転盤４の外周部は、上記した図４に示すように枠体１に取り付けられたスプリングを介して弾性的に複数の円筒コロ７２で支持されている。また、回転円盤４には第１の実施の形態と同様にゼンマイばね８が取り付けられておりコード７が引き出された際にゼンマイばね８にチャージされたばね力によりコード７が巻き戻されるようになっている。巻胴３０は、回転円盤４の方向に円錐台形状をしているために巻き取られたコード７は後から巻き取られたコード７に押されながら当該円錐台の先端部（径の小さい部位）方向に巻き取られるのでスムーズな巻き取りが可能である。このように簡単な構造でコード７の確実な巻き取り・引き出しができるコード収納装置を供することができる。
【００２０】
［第３の実施の形態］
次に本発明の第３の実施の形態について説明する。以下、上記の実施の形態において説明したのと同様な箇所は省略し、相違する部位についてのみ説明する。
【００２１】
本発明の第３のコード収納装置を電気掃除機に適用した場合について図１３および図１４に示す。電気掃除機の枠体１に内蔵されているファンモータ２の外周部を覆うようにコード７を巻取る巻胴３１がファンモータ２と同軸上に固定されている。また、巻胴３１のファンモータ２の後方側に回転盤４が巻胴３１と同軸上に回転可能に取り付けられている。またこの回転円盤４は、図３に示すように電気掃除機の枠体１に取り付けられたスプリングを介して弾性的の円筒コロ７２で支持されている。また、回転円盤４には第１の実施の形態と同様にゼンマイばね８が取り付けられておりコード７が引き出された際にゼンマイばね８にチャージされたばね力によりコード７が巻き戻されるようになっている。また上記の実施の形態と同様にコード７が引き出された際にゼンマイばね８にチャージされたばね力を保持し、コード７を巻き戻す際に駆動するブレーキ機構が同様に設けられている。コード７の引き出し・巻き取りの際には、コード７が枠体１のコード導入孔（図示しない。）と回転円盤４との間に回転円盤４と同軸となるような位置にコード７を挟持する一対のピンチローラ４１よび４２が設けられている。この一対のローラ４１、４２の円周と歯車３９および歯車４０のピッチ円の長さを等しくし、一対のローラの一方である４１と歯車３９をシャフト４３とで連結し、歯車４０を介して回転盤４の外周に設けられた歯車と連結する構成になっている。このような構成により回転盤４の回転によるコード７の巻き取り・引き出し量と一対のピンチローラ４１，４２の巻き取り・引き出し量を同一にすることができる。
【００２２】
このようなコード収納機構によりコード７が引き出されたが場合、コード７を挟持した一対のローラ４１、４２2が回転し、歯車を介して回転盤４に取り付けられたゼンマイばね35にチャージを行いながら、回転盤４も回転する。この際、コード７が引き出されるときに生じるテンションはコード７を挟持した一対のローラ４１，４２までは生じるが、一対のローラ４１、４２より回転盤４側ではテンションが生じない。このためコード７はゆとりを持って巻胴３１に巻き取られることができ、さらに回転盤４によりほぐしながら引き出されるため、絡みつくことなくスムーズな引き出しが可能である。
【００２３】
また、コード７を巻き取るには、ゼンマイばね８のブレーキを解除することで行う。ブレーキを解除するには電気掃除機本体上部に設けられた巻き取りボタン１１（図４参照）を押すことで、回転盤４を制動しているブレーキ１３が離れ、ゼンマイばね８のチャージが開放されることで巻き取りが行われる。ゼンマイばね８のチャージが開放されることで、回転円盤４がコード７を巻き取る方向に回転し、また歯車により連結された一対のローラ４１、４２も回転する。回転円盤４がコード７を巻き付ける量と一対のローラ４１、４２が電源コードを送り込む量は同一となっているため、回転円盤４は一対のローラ４１、４２によりコード７を巻胴３１に巻き付ける作業のみを行う。一対のローラ４１，４２より回転円盤４側のコード７にはテンションが発生しないため、ゆとりを持って巻胴３１3に巻き取られていく。後から送り込まれたコード７のこしにより、先に巻き取られているコード７が巻胴３１のコード７固定箇所１７のある端側に押し込まれて、コード７は固定箇所１７の端側から回転盤側に整列して巻き取られる。このようにコード７を巻胴３１にスムーズに巻き取ることが可能である。
【００２４】
なお、これまでの実施の形態では、コード７の巻き取りをゼンマイばね８により行ってきたが、その他の方法として、例えば、モータによって行うこともできる。図１５にモータ９１とバッテリ９２を組み込んだ実施例を示す。モータ９１とバッテリ９２を備えることで、ユーザはボタン操作のみでコード７の巻き取り／引き出しを行うことができる。この場合にはゼンマイばね８を搭載している場合に比べ均一速度での巻き取り／引き出しが可能となるため、より安定した動作が可能になるばかりではなく、ユーザの負担となっている電源コード引き出しの負荷をなくすこともできる。また、巻胴３の裾広がり側である底部に回転盤を設けた場合で説明したが、裾広がり側にスライド円盤を設け、位置関係を逆転させても良い。実施の形態では電気掃除機を例にしたが、これに限らず電気蚊取器やアイロンなどの各種電気機器に応用しても良い。
【図面の簡単な説明】
【００２５】
【図１】本発明の第１の実施の形態のコード収納装置の全体の構成を示す図である。
【図２】本発明の第１の実施の形態のコード収納装置のコードの巻取り機構を示す図である。
【図３】本発明の第１の実施の形態のコード収納装置の回転円盤の支持機構を示す図である。
【図４】本発明の第１の実施の形態のコード収納装置の回転円盤のブレーキ機構を示す図である。
【図５】本発明の第１の実施の形態のコード収納装置の内部の構成を示す図である。
【図６】本発明の第１の実施の形態のコード収納装置の巻胴の構造を示す図である。
【図７】本発明の第１の実施の形態のコード収納装置の円筒部材の一部の断面の構造を示す図である。
【図８】本発明の第１の実施の形態のコード収納装置の円筒部材の一部の断面の構造を示す図である。
【図９】本発明の第１の実施の形態のコード収納装置の巻胴に収納されたコードの断面の示す図である。
【図１０】本発明の第１の実施の形態のコード収納装置の巻胴に収納された他のコードの断面の示す図である。
【図１１】本発明の第２の実施の形態のコード収納装置の全体の構成を示す図である。
【図１２】本発明の第２の実施の形態のコード収納装置の巻胴の構造を示す図である。
【図１３】本発明の第３の実施の形態のコード収納装置の全体の構成を示す図である。
【図１４】本発明の第３の実施の形態のコード収納装置の側面から見た構成を示す図である。
【図１５】本発明の第３の実施の形態のコード収納装置のコード巻取り機構の他の構成を示す図である。
【図１６】従来のコード巻き取り機構の断面構造を示す図である。
【図１７】従来のコード巻き取り装置の斜視図である。
【符号の説明】
【００２６】
１  枠体
２  ファンモータ
３  巻胴（第１の実施の形態）
４  回転盤
５  貫通孔
７  電源コード
８  ゼンマイばね
２０  円筒部材
２１  螺旋溝
２２  スライド円盤  
３０  巻胴（第２の実施の形態）
３１  巻胴（第３の実施の形態）
４１，４２  一対のローラ
４４  電気掃除機の走行車輪
【図１】
2007099442.tif 000003
【図２】
2007099442.tif 000004
【図３】
2007099442.tif 000005
【図４】
2007099442.tif 000006
【図５】
2007099442.tif 000007
【図６】
2007099442.tif 000008
【図７】
2007099442.tif 000009
【図８】
2007099442.tif 000010
【図９】
2007099442.tif 000011
【図１０】
2007099442.tif 000012
【図１１】
2007099442.tif 000013
【図１２】
2007099442.tif 000014
【図１３】
2007099442.tif 000015
【図１４】
2007099442.tif 000016
【図１５】
2007099442.tif 000017
【図１６】
2007099442.tif 000018
【図１７】
2007099442.tif 000019